【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
陽極を有する陽極室と、
陰極を有する陰極室と、
供給された被処理水から対象イオンを除去して該対象イオンの濃度が低められた処理水を生成する脱塩室と、
前記脱塩室から移動した前記被処理水中の対象イオンを濃縮して該対象イオンの濃度が高められた濃縮水を生成する濃縮室と、
前記陽極室に純水を供給する経路と、
前記陽極室から出た流出水の少なくとも一部を前記濃縮室に供給する経路と、
を備えたことを特徴とする電気透析装置。
【請求項２】
前記被処理水中の対象イオンが前記濃縮室から前記陽極室に直接流入しないように遮断するバッファ室を更に備えたことを特徴とする請求項１記載の電気透析装置。
【請求項３】
陽極を有する陽極室と、
陰極を有する陰極室と、
供給された被処理水から対象イオンを除去して該対象イオンの濃度が低められた処理水を生成する脱塩室と、
前記脱塩室から移動した前記被処理水中の対象イオンを濃縮して該対象イオンの濃度が高められた濃縮水を生成する濃縮室と、
前記被処理水中の対象イオンが前記濃縮室から前記陽極室に直接流入しないように遮断するバッファ室と、
前記陽極室に純水を供給する経路と、
前記陽極室から出た流出水の少なくとも一部を前記バッファ室に供給する経路と、
を備えたことを特徴とする電気透析装置。
【請求項４】
前記バッファ室から出た流出水の少なくとも一部を前記濃縮室に供給する経路を更に備えたことを特徴とする請求項３記載の電気透析装置。
【請求項５】
陽極を有する陽極室と、
陰極を有する陰極室と、
供給された被処理水から第１の対象イオンと第２の対象イオンとを除去して前記第１の対象イオンおよび前記第２の対象イオンの濃度が低められた処理水を生成する脱塩室と、
前記脱塩室から移動した前記被処理水中の第１の対象イオンを濃縮して該第１の対象イオンの濃度が高められた第１の濃縮水を生成する第１の濃縮室と、
前記脱塩室から移動した前記被処理水中の第２の対象イオンを濃縮して該第２の対象イオンの濃度が高められた第２の濃縮水を生成する第２の濃縮室と、
前記陽極室に純水を供給する経路と、
前記陽極室から出た流出水の少なくとも一部を前記第１の濃縮室に供給する経路と、
を備えたことを特徴とする電気透析装置。
【請求項６】
前記被処理水中の第２の対象イオンと反対の極性を有するイオンを前記第２の濃縮室に供給するイオン供給室を更に備えたことを特徴とする請求項５記載の電気透析装置。
【請求項７】
前記被処理水中の第１の対象イオンが前記第１の濃縮室から前記陽極室に直接流入しないように遮断するバッファ室を更に備えたことを特徴とする請求項５記載の電気透析装置。
【請求項８】
前記被処理水中の第１の対象イオンが前記第１の濃縮室から前記陽極室に直接流入しないように遮断するバッファ室を更に備えたことを特徴とする請求項６記載の電気透析装置。
【請求項９】
陽極を有する陽極室と、
陰極を有する陰極室と、
供給された被処理水から第１の対象イオンと第２の対象イオンとを除去して前記第１の対象イオンおよび前記第２の対象イオンの濃度が低められた処理水を生成する脱塩室と、
前記脱塩室から移動した前記被処理水中の第１の対象イオンを濃縮して該第１の対象イオンの濃度が高められた第１の濃縮水を生成する第１の濃縮室と、
前記被処理水中の第１の対象イオンが前記第１の濃縮室から前記陽極室に直接流入しないように遮断するバッファ室と、
前記脱塩室から移動した前記被処理水中の第２の対象イオンを濃縮して該第２の対象イオンの濃度が高められた第２の濃縮水を生成する第２の濃縮室と、
前記陽極室に純水を供給する経路と、
前記陽極室から出た流出水の少なくとも一部を前記バッファ室に供給する経路と、
を備えたことを特徴とする電気透析装置。
【請求項１０】
前記被処理水中の第２の対象イオンと反対の極性を有するイオンを前記第２の濃縮室に供給するイオン供給室を更に備えたことを特徴とする請求項９記載の電気透析装置。
【請求項１１】
前記バッファ室から出た流出水の少なくとも一部を前記第１の濃縮室に供給する経路を更に備えたことを特徴とする請求項９記載の電気透析装置。
【請求項１２】
前記バッファ室から出た流出水の少なくとも一部を前記第１の濃縮室に供給する経路を更に備えた、請求項１０記載の電気透析装置を備えたことを特徴とする電気透析装置。
【請求項１３】
陽極を有する陽極室と、
陰極を有する陰極室と、
供給された被処理水から対象イオンを除去して該対象イオンの濃度が低められた処理水を生成する脱塩室と、
前記脱塩室から移動した前記被処理水中の対象イオンを濃縮して該対象イオンの濃度が高められた濃縮水を生成する濃縮室と、
前記被処理水中の対象イオンが前記濃縮室から前記陽極室に直接流入しないように遮断するバッファ室と、
前記バッファ室に純水を供給する経路と、
前記バッファ室から出た流出水の少なくとも一部を前記濃縮室に供給する経路と、
を備えたことを特徴とする電気透析装置。
【請求項１４】
前記陽極室または前記バッファ室から出た流出水の少なくとも一部を前記被処理水または前記処理水に混合する経路をさらに備えたことを特徴とする請求項３記載の電気透析装置。
【請求項１５】
少なくともフッ素を含有する排水を処理する、請求項１から１４のいずれか一項に記載の電気透析装置と、
前記電気透析装置から得られるフッ素濃縮水をフッ化カルシウムとして回収するフッ素再資源化装置と、
を備えたことを特徴とするフッ素処理システム。
【請求項１６】
少なくともフッ素を含有する排水を処理する、請求項１から１４のいずれか一項に記載の電気透析装置と、
前記電気透析装置で得られたフッ素濃縮水の少なくとも一部を含む水を凝集沈澱処理する凝集沈澱装置と、
を備えたことを特徴とするフッ素処理システム。
【請求項１７】
請求項１から１４のいずれか一項に記載の電気透析装置と、
前記電気透析装置から得られる処理水を原水として純水を製造する純水製造装置と、
を備えたことを特徴とする水リサイクルシステム。
【請求項１８】
請求項１から１４のいずれか一項に記載の電気透析装置と、
除害装置と、
前記除害装置の排水を前記電気透析装置に供給する経路と、
前記電気透析装置で得られる処理水の一部を前記除害装置に供給する経路と、
を備えたことを特徴とする水リサイクルシステム。
【請求項１９】
請求項１から１４のいずれか一項に記載の電気透析装置と、
少なくともフッ素を含有する排水の固液分離を行う固液分離手段と、
前記固液分離手段により固液分離がなされた排水を前記電気透析装置に供給する経路と、
を備えたことを特徴とするフッ素処理システム。
【請求項２０】
請求項１から１４のいずれか一項に記載の電気透析装置と、
少なくともフッ素を含有する排水の有機物分離を行う有機物分離手段と、
前記有機物分離手段により有機物分離がなされた排水を前記電気透析装置に供給する経路と、
を備えたことを特徴とするフッ素処理システム。
【請求項２１】
陽極を有する陽極室と、
陰極を有する陰極室と、
前記陽極室及び前記陰極室に純水を供給する極液タンクと、
前記陽極室及び前記陰極室の少なくとも一方から出た流出水の少なくとも一部を被処理水に混合する径路と、
を備えたことを特徴とする排水処理システム。
【請求項２２】
被処理水中の対象イオンが前記陽極室へ直接流入することを遮断するバッファ室と、
前記バッファ室を出た流出水の少なくとも一部を被処理水に混合する径路と、
を更に備えたことを特徴とする請求項２１記載の排水処理システム。
【請求項２３】
フッ素を含有する排水を処理する電気透析装置と、
除外装置と、
前記電気透析装置の処理水を前記除外装置の供給水として該除外装置に供給し循環させる径路と、
前記電気透析装置の処理水の一部を排水する径路と、
を備えたことを特徴とする排水処理システム。
【請求項２４】
前記フッ素を含有する排水の固液分離を行う固液分離手段と、
前記固液分離手段により分離された排水を前記電気透析装置に供給する径路と、を更に備えたことを特徴とする請求項２３記載の排水処理システム。
【請求項２５】
前記固液分離手段で分離された排水を処理するフィルタを更に備えたことを特徴とする請求項２４記載の排水処理システム。
【請求項２６】
前記フッ素を含有する排水の有機物除去を行う有機物除去手段と、
前記有機物除去手段により有機物分離された排水を前記電気透析装置に供給する径路と、
を更に備えたことを特徴とする請求項２３記載の排水処理システム。
【請求項２７】
前記電気透析装置により得られた濃縮水の凝集沈殿装置、晶析装置及び減圧蒸留装置の少なくとも一つを更に備えたことを特徴とする請求項２３記載の排水処理システム。
【請求項２８】
純水製造装置と、
前記電気透析装置の処理水の一部を前記純水製造装置に供給する径路と、
を更に備えたことを特徴とする請求項２３記載の排水処理システム。
【手続補正２】
【補正対象書類名】明細書
【補正対象項目名】００５２
【補正方法】変更
【補正の内容】
【００５２】
上記電気透析装置は、上記被処理水中の対象イオンが上記濃縮室から上記陽極室に直接流入しないように遮断するバッファ室を更に備えていてもよい。
【手続補正３】
【補正対象書類名】明細書
【補正対象項目名】００５３
【補正方法】変更
【補正の内容】
【００５３】
本発明の第２の態様によれば、陽極を有する陽極室と、陰極を有する陰極室とを有する電気透析装置が提供される。この電気透析装置は、供給された被処理水から対象イオンを除去して該対象イオンの濃度が低められた処理水を生成する脱塩室と、上記脱塩室から移動した上記被処理水中の対象イオンを濃縮して該対象イオンの濃度が高められた濃縮水を生成する濃縮室と、上記被処理水中の対象イオンが上記濃縮室から上記陽極室に直接流入しないように遮断するバッファ室とを備えている。また、電気透析装置は、上記陽極室に純水を供給する経路と、上記陽極室から出た流出水の少なくとも一部を上記バッファ室に供給する経路とを有している。
【手続補正４】
【補正対象書類名】明細書
【補正対象項目名】００５４
【補正方法】変更
【補正の内容】
【００５４】
上記電気透析装置は、上記バッファ室から出た流出水の少なくとも一部を上記濃縮室に供給する経路を更に有していてもよい。
【手続補正５】
【補正対象書類名】明細書
【補正対象項目名】００５５
【補正方法】変更
【補正の内容】
【００５５】
本発明の第３の態様によれば、陽極を有する陽極室と、陰極を有する陰極室とを有する電気透析装置が提供される。この電気透析装置は、供給された被処理水から第１の対象イオンと第２の対象イオンとを除去して上記第１の対象イオンおよび上記第２の対象イオンの濃度が低められた処理水を生成する脱塩室と、上記脱塩室から移動した上記被処理水中の第１の対象イオンを濃縮して該第１の対象イオンの濃度が高められた第１の濃縮水を生成する第１の濃縮室と、上記脱塩室から移動した上記被処理水中の第２の対象イオンを濃縮して該第２の対象イオンの濃度が高められた第２の濃縮水を生成する第２の濃縮室とを備えている。また、電気透析装置は、上記陽極室に純水を供給する経路と、上記陽極室から出た流出水の少なくとも一部を上記第１の濃縮室に供給する経路とを有している。
上記電気透析装置は、上記被処理水中の第２の対象イオンと反対の極性を有するイオンを上記第２の濃縮室に供給するイオン供給室を更に有していてもよい。
【手続補正６】
【補正対象書類名】明細書
【補正対象項目名】００５６
【補正方法】変更
【補正の内容】
【００５６】
上記電気透析装置は、上記被処理水中の第１の対象イオンが上記第１の濃縮室から上記陽極室に直接流入しないように遮断するバッファ室を更に備えていてもよい。
【手続補正７】
【補正対象書類名】明細書
【補正対象項目名】００５７
【補正方法】変更
【補正の内容】
【００５７】
本発明の第４の態様によれば、陽極を有する陽極室と、陰極を有する陰極室とを有する電気透析装置が提供される。この電気透析装置は、供給された被処理水から第１の対象イオンと第２の対象イオンとを除去して上記第１の対象イオンおよび上記第２の対象イオンの濃度が低められた処理水を生成する脱塩室と、上記脱塩室から移動した上記被処理水中の第１の対象イオンを濃縮して該第１の対象イオンの濃度が高められた第１の濃縮水を生成する第１の濃縮室と、上記被処理水中の第１の対象イオンが上記第１の濃縮室から上記陽極室に直接流入しないように遮断するバッファ室とを備えている。また、電気透析装置は、上記脱塩室から移動した上記被処理水中の第２の対象イオンを濃縮して該第２の対象イオンの濃度が高められた第２の濃縮水を生成する第２の濃縮室を備えている。さらに、電気透析装置は、上記陽極室に純水を供給する経路と、上記陽極室から出た流出水の少なくとも一部を上記第１の濃縮室に供給する経路を有している。
上記電気透析装置は、上記被処理水中の第２の対象イオンと反対の極性を有するイオンを上記第２の濃縮室に供給するイオン供給室を更に有していてもよい。
【手続補正８】
【補正対象書類名】明細書
【補正対象項目名】００５８
【補正方法】変更
【補正の内容】
【００５８】
上記電気透析装置は、上記バッファ室から出た流出水の少なくとも一部を上記第１の濃縮室に供給する経路を更に有していてもよい。
【手続補正９】
【補正対象書類名】明細書
【補正対象項目名】００５９
【補正方法】削除
【補正の内容】
【手続補正１０】
【補正対象書類名】明細書
【補正対象項目名】００６０
【補正方法】削除
【補正の内容】
【手続補正１１】
【補正対象書類名】明細書
【補正対象項目名】００６１
【補正方法】削除
【補正の内容】
【手続補正１２】
【補正対象書類名】明細書
【補正対象項目名】００６２
【補正方法】削除
【補正の内容】
【手続補正１３】
【補正対象書類名】明細書
【補正対象項目名】００６３
【補正方法】変更
【補正の内容】
【００６３】
本発明の第５の態様によれば、陽極を有する陽極室と、陰極を有する陰極室とを有する電気透析装置が提供される。この電気透析装置は、供給された被処理水から対象イオンを除去して該対象イオンの濃度が低められた処理水を生成する脱塩室と、上記脱塩室から移動した上記被処理水中の対象イオンを濃縮して該対象イオンの濃度が高められた濃縮水を生成する濃縮室と、上記被処理水中の対象イオンが上記濃縮室から上記陽極室に直接流入しないように遮断するバッファ室とを備えている。また、電気透析装置は、上記バッファ室に純水を供給する経路と、上記バッファ室から出た流出水の少なくとも一部を上記濃縮室に供給する経路とを有している。
【手続補正１４】
【補正対象書類名】明細書
【補正対象項目名】００６４
【補正方法】変更
【補正の内容】
【００６４】
上記電気透析装置は、上記陽極室または上記バッファ室から出た流出水の少なくとも一部を上記被処理水または上記処理水に混合する経路をさらに備えていてもよい。
【手続補正１５】
【補正対象書類名】明細書
【補正対象項目名】００６５
【補正方法】削除
【補正の内容】
【手続補正１６】
【補正対象書類名】明細書
【補正対象項目名】００６６
【補正方法】削除
【補正の内容】
【手続補正１７】
【補正対象書類名】明細書
【補正対象項目名】００６７
【補正方法】削除
【補正の内容】
【手続補正１８】
【補正対象書類名】明細書
【補正対象項目名】００６８
【補正方法】削除
【補正の内容】
【手続補正１９】
【補正対象書類名】明細書
【補正対象項目名】００６９
【補正方法】削除
【補正の内容】
【手続補正２０】
【補正対象書類名】明細書
【補正対象項目名】００７０
【補正方法】削除
【補正の内容】
【手続補正２１】
【補正対象書類名】明細書
【補正対象項目名】００７１
【補正方法】削除
【補正の内容】
【手続補正２２】
【補正対象書類名】明細書
【補正対象項目名】００７２
【補正方法】削除
【補正の内容】
【手続補正２３】
【補正対象書類名】明細書
【補正対象項目名】００７３
【補正方法】削除
【補正の内容】
【手続補正２４】
【補正対象書類名】明細書
【補正対象項目名】００７４
【補正方法】削除
【補正の内容】
【手続補正２５】
【補正対象書類名】明細書
【補正対象項目名】００７５
【補正方法】削除
【補正の内容】
【手続補正２６】
【補正対象書類名】明細書
【補正対象項目名】００７６
【補正方法】変更
【補正の内容】
【００７６】
本発明の第６の態様によれば、上述した電気透析装置と、上記電気透析装置から得られるフッ素濃縮水をフッ化カルシウムとして回収するフッ素再資源化装置とを備えたフッ素処理システムが提供される。
【手続補正２７】
【補正対象書類名】明細書
【補正対象項目名】００７７
【補正方法】変更
【補正の内容】
【００７７】
本発明の第７の態様によれば、上述した電気透析装置と、上記電気透析装置で得られたフッ素濃縮水の少なくとも一部を含む水を凝集沈澱処理する凝集沈澱装置とを備えたフッ素処理システムが提供される。
【手続補正２８】
【補正対象書類名】明細書
【補正対象項目名】００７８
【補正方法】変更
【補正の内容】
【００７８】
本発明の第８の態様によれば、上述した電気透析装置と、上記電気透析装置から得られる処理水を原水として純水を製造する純水製造装置とを備えた水リサイクルシステムが提供される。
【手続補正２９】
【補正対象書類名】明細書
【補正対象項目名】００７９
【補正方法】変更
【補正の内容】
【００７９】
本発明の第９の態様によれば、上述した電気透析装置と、除害装置と、上記除害装置の排水を上記電気透析装置に供給する経路と、上記電気透析装置で得られる処理水の一部を上記除害装置に供給する経路とを備えた水リサイクルシステムが提供される。
【手続補正３０】
【補正対象書類名】明細書
【補正対象項目名】００８０
【補正方法】変更
【補正の内容】
【００８０】
本発明の第１０の態様によれば、上述した電気透析装置と、少なくともフッ素を含有する排水の固液分離を行う固液分離手段と、上記固液分離手段により固液分離がなされた排水を上記電気透析装置に供給する経路とを備えたフッ素処理システムが提供される。
【手続補正３１】
【補正対象書類名】明細書
【補正対象項目名】００８１
【補正方法】変更
【補正の内容】
【００８１】
本発明の第１１の態様によれば、上述した電気透析装置と、少なくともフッ素を含有する排水の有機物分離を行う有機物分離手段と、上記有機物分離手段により有機物分離がなされた排水を上記電気透析装置に供給する経路とを備えたフッ素処理システムが提供される。
本発明の第１２の態様によれば、陽極を有する陽極室と、陰極を有する陰極室と、前記陽極室及び前記陰極室に純水を供給する極液タンクと、前記陽極室及び前記陰極室の少なくとも一方から出た流出水の少なくとも一部を被処理水に混合する径路と、を備えたことを特徴とする排水処理システムが提供される。